(57)【要約】【課題】表示される電力量に異常があることをユーザに知らせることが可能なデータ処理装置等を提供する。【解決手段】電力情報取得部２１３は、電気機器から、該電気機器に電力線を介して供給される電力の積算値を表す電力情報を取得する。算出部２１４は、取得された電力情報に基づいて、電気機器に電力線を介して単位時間毎に供給された電力量を算出する。表示判定部２１５は、計時部２７０が計時する第１現在時刻と、時刻情報取得部２１１により取得された、ＮＴＰサーバからの第２現在時刻と、に基づいて、前記算出部により算出された、前記単位時間毎に供給された電力量に異常があるか否かを判定する。表示制御部２１６は、表示判定部２１５により電力量に異常があると判定された場合、算出された単位時間毎の電力量を表示する際に、表示される電力量に異常がある旨を表示部２６０に表示する。【選択図】図４
2015031677.tif 000002
【特許請求の範囲】
【請求項１】
電気機器から、該電気機器に電力線を介して供給される電力の積算値を表す電力情報を取得する電力情報取得部と、
前記電力情報取得部によって取得された電力情報に基づいて、前記電気機器に前記電力線を介して単位時間毎に供給された電力量を算出する算出部と、
前記算出部により算出された、前記単位時間毎に供給された電力量を表示部に表示する表示制御部と、
前記算出部により算出された、前記単位時間毎に供給された電力量に異常があるか否かを判定する判定部と、を備え、
前記表示制御部は、前記判定部により前記電力量に異常があると判定された場合、前記単位時間毎に供給された電力量を表示する際に、表示される電力量に異常がある旨を表示部に表示する、
ことを特徴とするデータ処理装置。
【請求項２】
前記表示部に表示される電力量に影響を与える所定のデータが所定の通知条件を満たすか否かを判定する通知判定部と、
前記通知判定部により前記所定の通知条件を満たすと判定された場合、前記表示制御部が、前記単位時間毎に供給された電力量を前記表示部に表示する前に、前記表示部に表示される電力量に異常がある可能性がある旨を通知する通知部と、
をさらに備える、
ことを特徴とする請求項１に記載のデータ処理装置。
【請求項３】
第１現在時刻を計時する計時部と、
外部から第２現在時刻を取得し、取得した第２現在時刻に基づいて、前記計時部が計時する第１現在時刻を補正する時刻情報取得部と、
をさらに備え、
前記算出部は、前記電力情報取得部によって取得された電力情報と、前記計時部により計時された第１現在時刻とに基づいて、前記単位時間毎に供給された電力量を算出し、
前記通知判定部は、前記計時部により計時された第１現在時刻が、前記時刻情報取得部により取得された第２現在時刻と異なる場合に、前記所定の通知条件を満たすと判定する、
ことを特徴とする請求項２に記載のデータ処理装置。
【請求項４】
前記通知判定部は、前記電力情報取得部が電力情報を取得する際の通信状態を表す通信データが、該通信状態に異常がある旨を所定時間継続して表す場合に、前記所定の通知条件を満たすと判定する、
ことを特徴とする請求項２または３に記載のデータ処理装置。
【請求項５】
前記通知判定部は、前記電力情報取得部により取得された電力情報が、異常がある旨を所定時間継続して表す場合に、前記所定の通知条件を満たすと判定する、
ことを特徴とする請求項２乃至４のいずれか１項に記載のデータ処理装置。
【請求項６】
第１現在時刻を計時する計時部と、
第２現在時刻を表す時刻情報を取得し、取得した第２現在時刻に基づいて、前記計時部が計時する第１現在時刻を補正する時刻情報取得部と、
をさらに備え、
前記算出部は、前記電力情報取得部によって取得された電力情報と、前記計時部により計時された第１現在時刻とに基づいて、前記単位時間毎に供給された電力量を算出し、
前記判定部は、前記計時部により計時された第１現在時刻と、前記時刻情報取得部により取得された第２現在時刻との差に基づいて、前記算出部により算出された、前記単位時間毎に供給された電力量に異常があるか否かを判定する、
ことを特徴とする請求項１乃至５のいずれか１項に記載のデータ処理装置。
【請求項７】
前記計時部が計時した第１現在時刻が、前記時刻情報取得部により取得された第２現在時刻よりも進んでおり、かつ、前記時刻情報取得部により取得された第２現在時刻が、直近の単位時間が経過した時刻よりも前である場合、
前記判定部は、前記算出部により算出された、前記単位時間毎に供給された電力量に異常があると判定し、
前記表示制御部は、前記算出部により算出された、前記単位時間毎に供給された電力量を表示する際に、前記直近の単位時間において、前記計時部の第１現在時刻が補正される前に取得された電力情報に基づいて算出された電力量と、前記計時部の第１現在時刻が補正された後に取得された電力情報に基づいて算出された電力量と、のいずれかを、ユーザの選択に基づいて前記表示部に表示する、
ことを特徴とする請求項６に記載のデータ処理装置。
【請求項８】
前記計時部が計時した現在時刻が、前記時刻情報取得部により取得された現在時刻よりも遅れており、かつ、前記時刻情報取得部により取得された現在時刻が、前記計時部が計時した現在時刻の単位時間が経過する時刻よりも後である場合、
前記判定部は、前記算出部により算出された、前記単位時間毎に供給された電力量に異常があると判定し、
前記表示制御部は、前記算出部により算出された、前記単位時間毎に供給された電力量を表示する際に、前記計時部が計時した現在時刻の単位時間における電力量が抜けている旨を前記表示部に表示する、
ことを特徴とする請求項６または７に記載のデータ処理装置。
【請求項９】
電気機器と、該電気機器と通信可能に接続されたデータ処理装置と、から構成されるエネルギー管理システムであって、
前記データ処理装置は、
前記電気機器から、該電気機器に電力線を介して供給される電力の積算値を表す電力情報を取得する電力情報取得部と、
前記電力情報取得部によって取得された電力情報に基づいて、前記電気機器に前記電力線を介して単位時間毎に供給された電力量を算出する算出部と、
前記算出部により算出された、前記単位時間毎に供給された電力量を表示部に表示する表示制御部と、
前記算出部により算出された、前記単位時間毎に供給された電力量に異常があるか否かを判定する判定部と、を備え、
前記表示制御部は、前記判定部により前記電力量に異常があると判定された場合、前記単位時間毎に供給された電力量を表示する際に、表示される電力量に異常がある旨を表示部に表示する、
ことを特徴とするエネルギー管理システム。
【請求項１０】
電気機器から、該電気機器に電力線を介して供給される電力の積算値を表す電力情報を取得する電力情報取得ステップと、
前記電力情報取得ステップにおいて取得された電力情報に基づいて、前記電気機器に前記電力線を介して単位時間毎に供給された電力量を算出する算出ステップと、
前記算出ステップにおいて算出された、前記単位時間毎に供給された電力量を表示部に表示する表示制御ステップと、
前記算出ステップにおいて算出された、前記単位時間毎に供給された電力量に異常があるか否かを判定する判定ステップと、を有し、
前記表示制御ステップにおいて、前記判定ステップにおいて前記電力量に異常があると判定された場合、前記単位時間毎に供給された電力量を表示する際に、表示される電力量に異常がある旨を前記表示部に表示する、
ことを特徴とするデータ処理方法。
【請求項１１】
コンピュータを、
電気機器から、該電気機器に電力線を介して供給される電力の積算値を表す電力情報を取得する電力情報取得手段、
前記電力情報取得手段によって取得された電力情報に基づいて、前記電気機器に前記電力線を介して単位時間毎に供給された電力量を算出する算出手段、
前記算出手段により算出された、前記単位時間毎に供給された電力量を表示部に表示する表示制御手段、
前記算出手段により算出された、前記単位時間毎に供給された電力量に異常があるか否かを判定する判定手段、として機能させ、
前記表示制御手段は、前記判定手段により前記電力量に異常があると判定された場合、前記単位時間毎に供給された電力量を表示する際に、表示される電力量に異常がある旨を前記表示部に表示する、
ことを特徴とするプログラム。
【発明の詳細な説明】
【技術分野】
【０００１】
本発明は、データ処理装置、エネルギー管理システム、データ処理方法、及びプログラムに関する。
【背景技術】
【０００２】
近年、電気機器等によるエネルギーの使用状況を把握することで、消費エネルギーの削減を図るエネルギー管理システムが注目されている。ユーザにエネルギーの使用状況を把握させるための手段として、例えば特許文献１は、無線や有線を用いて、電気機器に供給される電力データを取得し、時系列グラフ化して表示装置に表示することで、ユーザにエネルギーの使用状況を視認させる技術を開示している。
【先行技術文献】
【特許文献】
【０００３】
【特許文献１】特開２０１３−１２００６７号公報
【発明の概要】
【発明が解決しようとする課題】
【０００４】
しかし、特許文献１に開示された技術では、電力データを取得する際に、通信が滞ったり、ＮＴＰ（Network Time Protocol）サーバとの時刻同期がずれた場合、電力量の時系列データを表すグラフの一部に、データ抜けやデータの上書きが発生し、ユーザに誤った情報が提示される可能性があるという問題点がある。
【０００５】
本発明は、上述の事情の下になされたもので、表示される電力量に異常があることをユーザに知らせることが可能なデータ処理装置、エネルギー管理システム、データ処理方法、及びプログラムを提供することを目的とする。
【課題を解決するための手段】
【０００６】
上記目的を達成するため、本発明に係るデータ処理装置は、
電気機器から、該電気機器に電力線を介して供給される電力の積算値を表す電力情報を取得する電力情報取得部と、
前記電力情報取得部によって取得された電力情報に基づいて、前記電気機器に前記電力線を介して単位時間毎に供給された電力量を算出する算出部と、
前記算出部により算出された、前記単位時間毎に供給された電力量を表示部に表示する表示制御部と、
前記算出部により算出された、前記単位時間毎に供給された電力量に異常があるか否かを判定する判定部と、を備え、
前記表示制御部は、前記判定部により前記電力量に異常があると判定された場合、前記単位時間毎に供給された電力量を表示する際に、表示される電力量に異常がある旨を表示部に表示する、
ことを特徴とする。
【発明の効果】
【０００７】
本発明によれば、表示される電力量に異常があることをユーザに知らせることができる。
【図面の簡単な説明】
【０００８】
【図１】実施形態１に係るエネルギー管理システムの概略構成を示すブロック図である。
【図２】プロセッサによって算出される１時間毎の電力量を模式的に示す図である
【図３】表示部に表示される単位時間毎の電力量を表すグラフの一例である。
【図４】実施形態１に係るデータ処理装置のプロセッサの機能構成を示す概略ブロック図である。
【図５】（ａ）は、第１現在時刻が第２現在時刻よりも進んでいた場合における、第１現在時刻の補正前後の単位時間毎の電力の積算値を表す図、（ｂ）は、表示部に表示される単位時間毎の電力量を表すグラフの一例である。
【図６】（ａ）は、第１現在時刻が第２現在時刻よりも進んでいた場合における、第１現在時刻の補正前後の単位時間毎の電力の積算値を表す図、（ｂ）は、表示部に表示される単位時間毎の電力量を表すグラフの一例である。
【図７】（ａ）は、第１現在時刻が第２現在時刻よりも進んでいた場合における、第１現在時刻の補正前後の単位時間毎の電力の積算値を表す図、（ｂ）は、表示部に表示される単位時間毎の電力量を表すグラフの一例である。
【図８】（ａ）は、第１現在時刻が第２現在時刻よりも遅れていた場合における、第１現在時刻の補正前後の単位時間毎の電力の積算値を表す図、（ｂ）は、表示部に表示される単位時間毎の電力量を表すグラフの一例である。
【図９】（ａ）は、第１現在時刻が第２現在時刻よりも遅れていた場合における、第１現在時刻の補正前後の単位時間毎の電力の積算値を表す図、（ｂ）は、表示部に表示される単位時間毎の電力量を表すグラフの一例である。
【図１０】表示部に表示される電力量に異常がある可能性がある旨の通知の一例を示す。
【図１１】表示部に表示される電力量に異常がある旨を表すメッセージの一例を示す。
【図１２】表示部に表示される単位時間毎の電力量を表すグラフの一例を示す。
【図１３】表示部に表示される単位時間毎の電力量を表すグラフの一例を示す。
【図１４】表示部に表示される単位時間毎の電力量を表すグラフの一例を示す。
【図１５】時刻同期処理の流れの一例を示すフローチャートである。
【図１６】電力量取得処理の流れの一例を示すフローチャートである。
【図１７】電力量表示処理の流れの一例を示すフローチャートである。
【図１８】（ａ）は、通信エラーまたは計測エラーが所定時間継続した場合における単位時間毎の電力の積算値を表す図、（ｂ）は、表示部に表示される単位時間毎の電力量を表すグラフの一例である。
【図１９】（ａ）及び（ｂ）は、表示部に表示される単位時間毎の電力量を表すグラフの一例である。
【発明を実施するための形態】
【０００９】
以下、本発明の実施形態を添付図面を参照しながら詳細に説明する。
【００１０】
（実施形態１）
図１は、本発明の実施形態に係るエネルギー管理システム１の概略配置を示すブロック図である。本実施形態に係るエネルギー管理システム１は、図１に示されるように、電気機器１００によって消費される電力量をユーザに対して表示するＨＥＭＳ（Home Energy Management System）である。エネルギー管理システム１は、図示しない電力線を介して供給される電力を電源として動作する電気機器１００と、電気機器１００に供給される電力の積算値を表す電力情報に基づいて電力量を算出し、表示するデータ処理装置２００と、から構成されている。電気機器１００とデータ処理装置２００とは、互いにデータの送受信が可能となるように接続されている。
【００１１】
電気機器１００は、例えば、空調機器又は照明機器である。電気機器１００には、商用電源（図示せず）から電力線（図示せず）を介して電力が供給される。そして、電気機器１００は、エネルギー管理システム１のユーザによって直接入力される操作、及びデータ処理装置２００から送信される要求に従って動作する。本実施形態において、電気機器１００は、電力線を介して電気機器１００に供給された電力の積算値を、例えば１秒毎に計測する。そして、電気機器１００は、データ処理装置２００からの要求に従って、計測した電力の積算値を表す電力情報を、定期的に、例えば３０秒毎にデータ処理装置２００に送信する。
【００１２】
データ処理装置２００は、電気機器１００から定期的に取得した電力情報に基づいて、電力線を介して電気機器１００に単位時間毎に供給された電力量の算出し、表示する。この単位時間は、例えば、１時間、１日間、１月間及び１年間である。また、データ処理装置２００は、インターネット等のネットワーク４００を介して接続されているＮＴＰ（Network Time Prtocol）サーバ３００から、ネットワーク４００上での現在時刻を表す時刻情報を受信し、受信した時刻情報に基づいてデータ処理装置２００内の内部時計（後述する計時部２７０）を補正する。
【００１３】
次に、データ処理装置２００のハードウェア構成について説明する。図１に示すように、データ処理装置２００は、プロセッサ２１０、主記憶部２２０、補助記憶部２３０、通信部２４０、入力部２５０、表示部２６０、及び計時部２７０を有している。主記憶部２２０、補助記憶部２３０、通信部２４０、入力部２５０、表示部２６０、及び計時部２７０はいずれも、内部バス２８０を介してプロセッサ２１０に接続されている。
【００１４】
プロセッサ２１０は、例えばＣＰＵ（Central Processing Unit）等から構成される。プロセッサ２１０は、補助記憶部２３０に記憶されるプログラムＰ１を実行することにより、種々の処理を実行する。プロセッサ２１０によって実行される処理には、電力線を介して電気機器１００に単位時間毎に供給された電力量の算出が含まれる。
【００１５】
図２は、プロセッサ２１０によって算出される１時間毎の電力量を模式的に示す図である。図２中の電力量Ｅ８〜Ｅ１４各々は、８時台（８時０分以後９時０分より前）、９時台（９時０分以後１０時０分より前）、・・・、１４時台（１４時０分以後１５時０分より前）の各々において電気機器１００に供給された電力量に相当する。また、図２中の黒丸は、毎時０分における積算値を示している。
【００１６】
図２に示されるように、プロセッサ２１０は、各単位時間の終了時刻（毎時０分）における積算値から、この単位時間の開始時刻における積算値を減じて得た値を、この単位時間に供給された電力量として算出する。例えば、プロセッサ２１０は、９時０分における積算値から８時０分における積算値を減じて得た値を、８時台の１時間に供給された電力量として算出する。
【００１７】
なお、プロセッサ２１０は、１日間に供給された電力量、１月間に供給された電力量、及び１年間に供給された電力量を、１時間に供給された電力量と同様に算出する。１日間を単位時間とするときの開始時刻及び終了時刻は、毎日０時０分である。１月間を単位時間とするときの開始時刻及び終了時刻は、毎月１日の０時０分である。１年間を単位時間とするときの開始時刻及び終了時刻は、毎年１月１日の０時０分である。
【００１８】
図１に戻り、主記憶部２２０は、例えばＲＡＭ（Random Access Memory）等から構成される。主記憶部２２０は、補助記憶部２３０からプログラムＰ１をロードする。そして、主記憶部２２０は、プロセッサ２１０の作業領域として用いられる。
【００１９】
補助記憶部２３０は、ハードディスク又はフラッシュメモリ等の不揮発性メモリを含んで構成される。補助記憶部２３０は、プロセッサ２１０の指示に従って、プロセッサ２１０によって利用されるデータをプロセッサ２１０に供給し、プロセッサ２１０から供給されたデータ等を記憶する。
【００２０】
補助記憶部２３０は、プログラムＰ１の他に、プロセッサ２１０の処理に用いられる種々のデータを記憶している。補助記憶部２３０によって記憶されるデータには、電気機器１００から取得された電力の積算値の時間推移を示す電力履歴テーブル２３１が含まれる。電力履歴テーブル２３１は、電力の積算値と、この積算値が取得された時刻との複数の組み合わせからなる。
【００２１】
通信部２４０は、電気機器１００及びＮＴＰサーバ３００と通信するための通信インタフェース等から構成される。通信部２４０は、受信した信号に含まれるデータをプロセッサ２１０へ出力する。また、通信部２４０は、プロセッサ２１０から出力されたデータを取得して、このデータを含む信号を、例えば電気機器１００へ送信する。
【００２２】
入力部２５０は、例えばキーボード並びにマウス及びタッチパッド等のポインティングデバイスを含んで構成される。入力部２５０は、ユーザによって入力された情報を取得して、プロセッサ２１０へ出力する。入力部２５０は、表示部２６０に表示される画像を切り替えたり、電気機器１００に対する制御の内容を入力したりするために用いられる。
【００２３】
表示部２６０は、例えばＬＣＤ（Liquid Crystal Display）から構成される。表示部２６０は、プロセッサ２１０の指示に従って、種々の文字や図形からなる画像をユーザに対して表示する。
【００２４】
図３には、２０１３年７月２９日１５時１０分の時点において、表示部２６０に表示されるグラフの例が示されている。図３に示されるように、表示部２６０には、過去において１時間毎に供給された電力量の推移を示す棒グラフｇ１が表示される。
【００２５】
計時部２７０は、現在時刻を計時するタイマから構成され、データ処理装置２００内の内部時計として機能する。計時部２７０が計時する現在時刻は、ＮＴＰサーバ３００から受信した時刻情報に基づいて、受信した時刻情報が表す現在時刻と同期するように補正される。
【００２６】
次に、データ処理装置２００のプロセッサ２１０の機能的構成について説明する。
【００２７】
図４は、本発明の実施形態１に係るデータ処理装置２００のプロセッサ２１０の機能構成を示す概略ブロック図である。図４に示すように、プロセッサ２１０が補助記憶部２３０に格納されたプログラムＰ１を実行することにより、時刻情報取得部２１１、通知判定部２１２、電力情報取得部２１３、算出部２１４、表示判定部２１５、表示制御部２１６として機能する。
【００２８】
時刻情報取得部２１１は、定期的にＮＴＰサーバ３００から、ネットワーク４００上の現在時刻（第２現在時刻）を表す時刻情報を取得する。そして、時刻情報取得部２１１は、計時部２７０が計時する現在時刻（第１現在時刻）と、ＮＴＰサーバ３００から取得した時刻情報が表す第２現在時刻とが異なる場合、計時部２７０が計時する第１現在時刻を、ＮＴＰサーバ３００から取得した時刻情報が表す第２現在時刻と同期するように補正する。
【００２９】
通知判定部２１２は、計時部２７０が計時する第１現在時刻と、時刻情報取得部２１１により取得された第２現在時刻とが異なるか否かを判定する。通知判定部２１２は、第１現在時刻と第２現在時刻とが異なると判定した場合、その旨を表示制御部に出力する。
【００３０】
電力情報取得部２１３は、電気機器１００から、通信部２４０を介して、電気機器１００が計測した電力の積算値を表す電力情報を、定期的に、例えば３０秒毎に取得する。また、電力情報取得部２１３は、電力情報を取得した際に計時部２７０が計時する第１現在時刻を、その電力情報を取得した時刻として、その電力情報と対応づけて、補助記憶部２３０の電力履歴テーブル２３１に格納する。
【００３１】
算出部２１４は、電力履歴テーブル２３１に格納された電力の積算値と、その取得時刻に基づいて、電気機器１００に電力線を介して単位時間毎に供給された電力量を算出する。また、算出部２１４は、第１現在時刻の補正が行われた場合、その補正前後それぞれについて、単位時間毎に供給された電力量を算出する。
【００３２】
表示判定部２１５は、算出部２１４により算出された、単位時間毎に供給された電力量に異常があるか否かを判定する。具体的には、表示判定部２１５は、計時部２７０により計時された第１現在時刻と、時刻情報取得部２１１により取得された第２現在時刻との差に基づいて、算出された電力量に異常があるか否かを判定する。
【００３３】
ここで、表示判定部２１５により判定される、算出された電力量の異常について説明する。
【００３４】
図５（ａ）は、第１現在時刻が第２現在時刻よりも進んでいた場合における、第１現在時刻の補正前後の単位時間毎の電力の積算値を表す図、（ｂ）は、表示部２６０に表示される単位時間毎の電力量を表すグラフの一例である。図５（ａ）に示す例では、第１現在時刻が１１時４５分であるときに、第２現在時刻として１０時３０分が取得されている。従って、この例では、１１時における電力量として、補正前に取得された値と、補正後に取得された値との２つが存在することとなる。また、補正後に取得された値は、補正前の１１時から１１時４５分までの４５分間と、補正後の１０時半から１１時までの３０分間と、を合わせた計７５分間の電力量を表す。従って、図５（ｂ）に示すように、表示部２６０に表示される単位時間毎の電力量を表すグラフｇ２において、１１時における電力量として、補正前に取得された値の代わりに、補正後に取得された値の棒グラフｂ２＿１１が表示されると、実際は７５分間の電力量を表す棒グラフｂ２＿１１が、１０時から１１時の１時間における電力量として表示される。
【００３５】
図６（ａ）は、第１現在時刻が第２現在時刻よりも進んでいた場合における、第１現在時刻の補正前後の単位時間毎の電力の積算値を表す図、（ｂ）は、表示部２６０に表示される単位時間毎の電力量を表すグラフの一例である。図６（ａ）に示す例では、第１現在時刻が１１時１５分であるときに、第２現在時刻として１０時４５分が取得されている。従って、この例でも、図５（ａ）及び（ｂ）に示す例と同様に、１１時における電力量として、補正前に取得された値と、補正後に取得された値との２つが存在することとなる。また、補正後に取得された値は、補正前の１１時から１１時１５分までの１５分間と、補正後の１０時４５分から１１時までの１５分間と、を合わせた計３０分間の電力量を表す。従って、図６（ｂ）に示すように、表示部２６０に表示される単位時間毎の電力量を表すグラフｇ３において、１１時における電力量として、補正前に取得された値の代わりに、補正後に取得された値の棒グラフｂ３＿１１が表示されると、実際は３０分間の電力量を表す棒グラフｂ３＿１１が、１０時から１１時の１時間における電力量として表示される。
【００３６】
従って、以上の図５及び図６に示す例のように、ある単位時間における電力量の値として、補正前後の２つの値が存在する場合、すなわち、第１現在時刻が、第２現在時刻よりも進んでおり、かつ、第２現在時刻が、直近の単位時間が経過した時刻よりも前である場合、表示判定部２１５は、算出された電力量に異常があると判定する。
【００３７】
図７（ａ）は、第１現在時刻が第２現在時刻よりも進んでいた場合における、第１現在時刻の補正前後の単位時間毎の電力の積算値を表す図、（ｂ）は、表示部２６０に表示される単位時間毎の電力量を表すグラフの一例である。図７（ａ）に示す例では、第１現在時刻が１１時４５分であるときに、第２現在時刻として１１時１５分が取得されている。従って、１２時における電力量として、補正前の１１時から１１時４５分までの４５分間と、補正後の１１時１５分から１２時までの４５分間と、を合わせた計９０分間の電力量が算出される。従って、図７（ｂ）に示すように、表示部２６０に表示される単位時間毎の電力量を表すグラフｇ４において、１２時における電力量として、実際は９０分間の電力量を表す棒グラフｂ４＿１２が表示される。
【００３８】
従って、図７に示す例のように、ある単位時間における電力量の値として、補正前後の計測時間を合わせて通常の単位時間である６０分を超えた時間における電力量が算出される場合、すなわち、第１現在時刻が、第２現在時刻よりも進んでおり、かつ、第２現在時刻が、直近の単位時間が経過した時刻よりも後である場合、表示判定部２１５は、算出された電力量に異常があると判定する。
【００３９】
図８（ａ）は、第１現在時刻が第２現在時刻よりも遅れていた場合における、第１現在時刻の補正前後の単位時間毎の電力の積算値を表す図、（ｂ）は、表示部２６０に表示される単位時間毎の電力量を表すグラフの一例である。図８（ａ）に示す例では、第１現在時刻が１１時１５分であるときに、第２現在時刻として１１時４５分が取得されている。従って、１２時における電力量として、補正前の１１時から１１時１５分までの１５分間と、補正後の１１時４５分から１２時までの１５分間と、を合わせた計３０分間の電力量が算出される。従って、図８（ｂ）に示すように、表示部２６０に表示される単位時間毎の電力量を表すグラフｇ５において、１２時における電力量として、実際は３０分間の電力量を表す棒グラフｂ５＿１２が表示される。
【００４０】
従って、図８に示す例のように、ある単位時間における電力量の値として、補正前後の計測時間を合わせて通常の単位時間である６０分未満の時間における電力量が算出される場合、すなわち、第１現在時刻が、第２現在時刻よりも遅れており、かつ、第２現在時刻が、第１現在時刻の単位時間が経過する時刻より前である場合、表示判定部２１５は、算出された電力量に異常があると判定する。
【００４１】
図９（ａ）は、第１現在時刻が第２現在時刻よりも遅れていた場合における、第１現在時刻の補正前後の単位時間毎の電力の積算値を表す図、（ｂ）は、表示部２６０に表示される単位時間毎の電力量を表すグラフの一例である。図９（ａ）に示す例では、第１現在時刻が１１時１５分であるときに、第２現在時刻として１２時４５分が取得されている。従って、１２時における電力量が算出されず、補正前の１１時から１１時１５分までの１５分間と、補正後の１２時４５分から１３時までの１５分間と、を合わせた計３０分間の電力量が、１３時における電力量として算出される。従って、図９（ｂ）に示すように、表示部２６０に表示される単位時間毎の電力量を表すグラフｇ６において、１２時における電力量を表す棒グラフが表示されず、１３時における電力量として、実際は３０分間の電力量を表す棒グラフｂ６＿１３が表示される。
【００４２】
従って、図９に示す例のように、ある単位時間における電力量の値が抜けて、算出されない場合、すなわち、第１現在時刻が、第２現在時刻よりも遅れており、かつ、第２現在時刻が、第１現在時刻の単位時間が経過する時刻より後である場合、表示判定部２１５は、算出された電力量に異常があると判定する。
【００４３】
図４に戻って、表示制御部２１６は、算出部２１４により算出された、単位時間毎に供給された電力量を表示部２６０に表示する。また、表示制御部２１６は、通知判定部２１２が第１現在時刻と第２現在時刻とが異なると判定した場合、単位時間毎に供給された電力量を表示部２６０に表示する前に、表示部２６０に表示される電力量に異常がある可能性がある旨を通知する。また、表示制御部２１６は、表示判定部により算出された電力量に異常があると判定された場合、単位時間毎に供給された電力量を表示する際に、表示すべき電力量に異常がある旨を表示部２６０に表示する。
【００４４】
ここで、通知判定部２１２が第１現在時刻と第２現在時刻とが異なると判定した場合における、表示制御部２１６による表示部２６０の表示態様について説明する。図１０に、表示部２６０に表示される電力量に異常がある可能性がある旨の通知の一例を示す。図１０において、表示部２６０の表示画面２６１には、「時刻ずれが発生しました。表示する電力量データに異常が発生する可能性があります。」というメッセージＭ１が表示されている。
【００４５】
次に、表示判定部２１５が算出された電力量に異常があると判定した場合における、表示制御部２１６による表示部２６０の表示態様について説明する。
【００４６】
図１１に、表示される電力量に異常がある旨を表すメッセージの一例を示す。図１１に示すメッセージＭ２は、表示判定部２１５が、第１現在時刻と第２現在時刻とが図５（ａ）または図６（ａ）に示すように異なる場合、すなわち、ある単位時間における電力量の値として、補正前後の２つの値が存在する場合において、算出された電力量に異常があると判定した場合に表示される。また、メッセージＭ２は、ユーザに、補正後の電力量データ及び補正前の電力量データのうち、いずれを表示するか選択するよう促す。そして、表示制御部２１６は、その単位時間における電力量の値として、ユーザに選択された電力量データを用いて表示する。図１２に、ユーザに選択された電力量データを用いた、単位時間毎の電力量を表すグラフの一例を示す。図１２に示すグラフｇ７において、ユーザに選択された電力量を表す棒グラフｂ７＿１１は、他の棒グラフと異なる色で表されることにより、強調表示されている。
【００４７】
図１３に、表示部２６０に表示される、単位時間毎の電力量を表すグラフの一例を示す。図１３に示すグラフｇ８は、表示判定部２１５が、第１現在時刻と第２現在時刻とが図７（ａ）に示すように異なる場合、すなわち、ある単位時間における電力量の値として、補正前後の計測時間を合わせて通常の単位時間である６０分を超える時間における電力量が算出される場合において、算出された電力量に異常があると判定した場合に表示されるグラフの一例である。図１３に示すグラフｇ８において、通常の単位時間である６０分を超える時間における電力量を表す棒グラフｂ８＿１２は、他の棒グラフと異なる色で表されることにより、強調表示されている。
【００４８】
なお、表示判定部２１５が、第１現在時刻と第２現在時刻とが図８（ａ）に示すように異なる場合、すなわち、ある単位時間における電力量の値として、補正前後の計測時間を合わせて通常の単位時間である６０分未満の時間における電力量が算出される場合においても、図１３と同様に、その単位時間における電力量を表す棒グラフは、他の棒グラフと異なる色で表されることにより、強調表示される。
【００４９】
図１４に、表示部２６０に表示される、単位時間毎の電力量を表すグラフの一例を示す。図１４に示すグラフｇ９は、表示判定部２１５が、第１現在時刻と第２現在時刻とが図９（ａ）に示すように異なる場合、すなわち、ある単位時間における電力量の値が抜けて、算出されない場合において、算出された電力量に異常があると判定した場合に表示されるグラフの一例である。図１４に示すグラフｇ９において、１２時において電力量の値が抜けており、通常ならば電力量を表す棒グラフが表示される領域ｂ９＿１２は、他の棒グラフと異なる色で表されることにより、強調表示されているとともに、データが抜けていることを表すメッセージＭ３が表示されている。
【００５０】
次に、本実施形態におけるデータ処理装置２００の動作について説明する。
【００５１】
まず、データ処理装置２００が実行する時刻同期処理の流れについて説明する。図１５は、データ処理装置２００が実行する時刻同期処理の流れの一例を示すフローチャートである。図１５に示す時刻同期処理は、例えば、データ処理装置２００の電源がオンになったことを契機として開始される。
【００５２】
まず、時刻情報取得部２１１は、計時部２７０を参照し、第１現在時刻が、ＮＴＰサーバ３００から時刻情報を取得する所定の時刻になったか否かを判定する（ステップＳ１１）。第１現在時刻が所定の時刻になっていないと判定した場合（ステップＳ１１；Ｎｏ）、時刻情報取得部２１１は、第１現在時刻が所定の時刻になったと判定するまで待ち状態となる。
【００５３】
次に、第１現在時刻が所定の時刻になったと判定した場合（ステップＳ１１；Ｙｅｓ）、時刻情報取得部２１１は、通信部２４０を介して、ＮＴＰサーバ３００から、時刻情報を取得する（ステップＳ１２）。
【００５４】
次に、通知判定部２１２は、計時部２７０が計時する第１現在時刻が、ステップＳ１２において取得した時刻情報が表す第２現在時刻と異なるか否かを判定する（ステップＳ１３）。第１現在時刻と第２現在時刻とが異ならない、すなわち同じであると判定した場合（ステップＳ１３；Ｎｏ）、処理をステップＳ１１に戻す。
【００５５】
第１現在時刻と第２現在時刻とが異なると判定した場合（ステップＳ１３；Ｙｅｓ）、
表示制御部２１６は、表示部２６０に表示される電力量に異常がある可能性がある旨を表示部２６０に表示する（ステップＳ１４）。
【００５６】
次に、時刻情報取得部２１１は、計時部２７０が計時する第１現在時刻を、第２現在時刻と同期するように補正する（ステップＳ１５）。そして、処理をステップＳ１１に戻す。
【００５７】
以上のステップＳ１１〜Ｓ１５の処理を繰り返すことにより、データ処理装置２００は、計時部２７０が計時する第１現在時刻を、ＮＴＰサーバ３００から取得した第２現在時刻と同期させる。また、データ処理装置２００は、第１現在時刻が第２現在時刻と異なる場合、表示部２６０に表示される電力量に異常がある可能性がある旨を表示部２６０に表示することにより、ユーザに通知する。
【００５８】
次に、データ処理装置２００が実行する電力量取得処理の流れについて説明する。図１６は、データ処理装置２００が実行する電力量取得処理の流れの一例を示すフローチャートである。図１６に示す電力量取得処理は、例えば、データ処理装置２００の電源がオンになったことを契機として開始される。
【００５９】
まず、電力情報取得部２１３は、計時部２７０を参照し、第１現在時刻が、電気機器１００から電力情報を取得する所定の時刻になったか否かを判定する（ステップＳ２１）。第１現在時刻が所定の時刻になっていないと判定した場合（ステップＳ２１；Ｎｏ）、電力情報取得部２１３は、第１現在時刻が所定の時刻になったと判定するまで待ち状態となる。
【００６０】
次に、第１現在時刻が所定の時刻になったと判定した場合（ステップＳ２１；Ｙｅｓ）、電力情報取得部２１３は、通信部２４０を介して、電気機器１００から、電力情報を取得する（ステップＳ２２）。
【００６１】
そして、電力情報取得部２１３は、ステップＳ２２において電力情報を取得した際に計時部２７０が計時する第１現在時刻を、その電力情報を取得した時刻として、その電力情報と対応づけて、補助記憶部２３０の電力履歴テーブル２３１に格納する（ステップＳ２３）。そして処理をステップＳ２１に戻す。
【００６２】
次に、データ処理装置２００が実行する電力量表示処理の流れについて説明する。図１６は、データ処理装置２００が実行する電力量表示処理の流れの一例を示すフローチャートである。図１７に示す電力量表示処理は、例えば、ユーザにより入力部２５０を介して、電力量表示処理の開始を指示する操作入力を受け付けたことを契機として開始される。
【００６３】
まず、算出部２１４は、電力履歴テーブル２３１に格納された電力の積算値と、その取得時刻に基づいて、電気機器１００に電力線を介して単位時間毎に供給された電力量を算出する（ステップＳ３１）。なお、算出部２１４は、第１現在時刻の補正が行われた場合、その補正前後それぞれについて、単位時間毎に供給された電力量を算出する。
【００６４】
次に、表示判定部２１５は、算出部２１４により算出された、単位時間毎に供給された電力量に異常があるか否かを判定する（ステップＳ３２）。具体的には、表示判定部２１５は、計時部２７０により計時された第１現在時刻と、時刻情報取得部２１１により取得された第２現在時刻との差に基づいて、算出された電力量に異常があるか否かを判定する。
【００６５】
算出部２１４により算出された電力量に異常があると判定された場合（ステップＳ３２；Ｙｅｓ）、表示制御部２１６は、算出された電力量に異常ある旨とともに、単位時間毎の電力量を表示部２６０に表示する（ステップＳ３３）。そして、本処理を終了する。
【００６６】
また、算出部２１４により算出された電力量に異常がないと判定された場合（ステップＳ３２；Ｎｏ）、表示制御部２１６は、単位時間毎の電力量を表示部２６０に表示する（ステップＳ３４）。そして、本処理を終了する。
【００６７】
以上説明したように、本実施形態に係るデータ処理装置２００は、第１現在時刻が第２現在時刻と異なる場合、表示部２６０に表示される電力量に異常がある可能性がある旨を表示部２６０に表示することにより、ユーザに通知する。従って、ユーザは、表示される電力量に異常がある可能性があることを事前に知ることができる。
【００６８】
また、本実施形態に係るデータ処理装置２００は、表示される電力量に異常がある場合、単位時間毎の電力量を表示する際に、電力量とともにその旨を表示する。従って、ユーザは、表示されている電力量に異常があることを知ることができ、表示されている電力量を誤って認識することを防ぐことができる。
【００６９】
（実施形態２）
次に、本発明の実施形態２について説明する。上記の実施形態１におけるデータ処理装置２００は、第１現在時刻と第２現在時刻とが異なる場合に、電力量に異常がある可能性がある旨を通知し、また、単位時間毎の電力量とともに、電力量に異常がある旨を表示する。しかし、データ処理装置２００が、単位時間毎に供給された電力量に異常があるか否かを判定する条件は、第１現在時刻と第２現在時刻とが異なる場合に限られない。本実施形態では、電気機器１００との間の通信エラーが所定時間継続する場合、または、電力情報取得部２１３により取得された電力情報が、計測エラーを所定時間継続して表す場合に、電力量に異常がある可能性があると判定する例について説明する。
【００７０】
本実施形態２において、通知判定部２１２は、電力情報取得部２１３が電力情報を取得する際の通信状態を表す通信データが、該通信状態に異常がある旨を所定時間継続して表すか否かを判定する。そして、通信状態に異常がある旨を所定時間継続して表すと判定した場合、通知判定部２１２は、電力量に異常がある可能性があると判定する。
【００７１】
また、通知判定部２１２は、電力情報取得部２１３により取得された電力情報が、異常がある旨を所定時間継続して表すか否かを判定する。そして、取得された電力情報が、異常がある旨を所定時間継続して表すと判定した場合に、電力量に異常がある可能性があると判定する。ここで、取得された電力情報が、異常がある旨を表す場合は、例えば、電気機器１００内における電力を計測する機器に異常がある場合や、計測値が不定値の場合である。
【００７２】
表示制御部２１６は、通知判定部２１２により、電力量に異常がある可能性があると判定された場合、実施形態１と同様に、単位時間毎に供給された電力量を表示部２６０に表示する前に、表示部２６０に表示される電力量に異常がある可能性がある旨を通知する。
【００７３】
次に、実施形態２において表示判定部２１５により判定される、算出された電力量の異常について説明する。
【００７４】
図１８（ａ）は、通信エラーまたは計測エラーが所定時間継続した場合における単位時間毎の電力の積算値を表す図、（ｂ）は、表示部２６０に表示される単位時間毎の電力量を表すグラフの一例である。図１８（ａ）に示す例では、第１現在時刻が１１時１５分から１３時４５分までの間に通信エラーまたは計測エラーが継続している。従って、１２時における電力量は、１１時から１１時１５分までの１５分間の電力量として算出される。また、１３時における電力量は、１２時から１３時までの間の電力の積算値のデータがないため、０となる。また、１４時における電力量は、１３時４５分から１４時までの１５分間の電力量として算出される。従って、図１８（ｂ）に示すように、表示部２６０に表示される単位時間毎の電力量を表すグラフｇ１０において、１３時における電力量を表す棒グラフが表示されず、１２時及び１４時における電力量として、それぞれ実際は１５分間の電力量を表す棒グラフｂ１０＿１２、ｂ１０＿１４が表示される。
【００７５】
従って、図１８に示す例のように、通信エラーまたは計測エラーが所定時間継続した場合に、表示判定部２１５は、算出された電力量に異常があると判定する。
【００７６】
表示制御部２１６は、表示判定部２１５により、算出された電力量に異常があると判定された場合、実施形態１と同様に、単位時間毎に供給された電力量を表示部２６０に表示する際に、表示部２６０に表示される電力量に異常がある旨を表示する。
【００７７】
以上説明したように、実施形態２に係るデータ処理装置２００は、通信エラーまたは計測エラーが所定時間継続した場合に、表示部２６０に表示される電力量に異常がある可能性がある旨を表示部２６０に表示することにより、ユーザに通知する。従って、ユーザは、表示される電力量に異常がある可能性があることを事前に知ることができる。
【００７８】
また、本実施形態に係るデータ処理装置２００は、通信エラーまたは計測エラーが所定時間継続した場合に、表示される電力量に異常があると判定し、単位時間毎の電力量を表示する際に、電力量とともにその旨を表示する。従って、ユーザは、表示されている電力量に異常があることを知ることができ、表示されている電力量を誤って認識することを防ぐことができる。
【００７９】
以上、本発明の実施形態について説明したが、本発明は実施形態によって限定されるものではない。
【００８０】
例えば、上記の実施形態では、通知判定部２１２が、表示部２６０に表示される電力量に異常がある可能性があると判定した場合に、その旨を表示部２６０に表示するが、ユーザへの通知態様はこれに限られない。例えば、通知判定部２１２が、表示部２６０に表示される電力量に異常がある可能性があると判定した場合、ユーザにメールを送信する、あるいは、ＬＥＤ（Light Emitting Diode）を点灯させることにより、ユーザに表示部２６０に表示される電力量に異常がある可能性がある旨を通知してもよい。
【００８１】
また、実施形態２において、通知判定部２１２が、通信エラーが所定時間継続したと判定した場合、ユーザに通信環境の改善を促す旨のメッセージを表示部２６０に表示してもよい。また、通知判定部２１２が、計測エラーが所定時間継続したと判定した場合、ユーザに電気機器１００の電力を計測する機器の復旧を促す旨のメッセージを表示部２６０に表示してもよい。
【００８２】
また、上記の実施形態では、表示判定部２１５が、表示部２６０に表示される電力量に異常があると判定した場合に、その旨を表示部２６０に表示するが、その表示態様は上述した態様に限られない。例えば、異常がある電力量を表す棒グラフについて、他の棒グラフよりも太くする、点線等で囲い込む、点滅表示させる、といった態様により強調表示してもよい。また、異常がある電力量を表す棒グラフとともに、「異常値です」といったメッセージを表示してもよい。このように、表示部２６０に単位時間毎の電力量を表示する際に、異常がある電力量を表すグラフについて、強調表示させることにより、ユーザに対し、異常がある部分を明確に認識させることができる。
【００８３】
また、図９に示す例のように、ある単位時間における電力量の値が抜けて、算出されない場合、表示部２６０に単位時間毎の電力量を表示する際に、抜けた部分の電力量を補間して表示してもよい。例えば、図１９（ａ）に示すグラフｇ１１のように、所定時間継続して電力量が算出されず、１１時〜１３時における電力量の値が抜けた場合、データの抜けが生じた後に算出された、異常を表す１４時の電力量を用いて、１１時〜１３時に平均的に按配することにより、図１９（ｂ）に示すグラフｇ１２のように、１１時〜１３時における電力量を補間して表示してもよい。なお、按配する手段としては、平均化する、過去の電力量データを参考にするといった手法を採用することができる。
【００８４】
また、本発明に係るデータ処理装置２００は、専用のシステムによらず、通常のコンピュータシステムを用いて実現可能である。例えば、ネットワークに接続されているコンピュータに、上記動作を実行するためのプログラムを、コンピュータシステムが読み取り可能な記録媒体（ＣＤ−ＲＯＭ、ＭＯ等）に格納して配布し、当該プログラムをコンピュータシステムにインストールすることにより、上述の処理を実行するデータ処理装置２００を構成してもよい。
【００８５】
また、コンピュータにプログラムを提供する方法は任意である。例えば、プログラムは、通信回線の掲示板（ＢＢＳ）にアップロードされ、通信回線を介してコンピュータに配信されてもよい。また、プログラムは、プログラムを表す信号により搬送波を変調した変調波により伝送され、この変調波を受信した装置が変調波を復調してプログラムを復元するようにしてもよい。そして、コンピュータは、このプログラムを起動して、ＯＳの制御のもと、他のアプリケーションと同様に実行する。これにより、コンピュータは、上述の処理を実行するデータ処理装置２００として機能する。
【符号の説明】
【００８６】
１  エネルギー管理システム、１００  電気機器、２００  データ処理装置、２１０  プロセッサ、２１１  時刻情報取得部、２１２  通知判定部、２１３  電力情報取得部、２１４  算出部、２１５  表示判定部、２１６  表示制御部、２２０  主記憶部、２３０  補助記憶部、２３１  電力履歴テーブル、２４０  通信部、２５０  入力部、２６０  表示部、２６１  表示画面、２７０  計時部、２８０  内部バス、３００  ＮＴＰサーバ、４００  ネットワーク
【図１】
2015031677.tif 000003
【図２】
2015031677.tif 000004
【図３】
2015031677.tif 000005
【図４】
2015031677.tif 000006
【図５】
2015031677.tif 000007
【図６】
2015031677.tif 000008
【図７】
2015031677.tif 000009
【図８】
2015031677.tif 000010
【図９】
2015031677.tif 000011
【図１０】
2015031677.tif 000012
【図１１】
2015031677.tif 000013
【図１２】
2015031677.tif 000014
【図１３】
2015031677.tif 000015
【図１４】
2015031677.tif 000016
【図１５】
2015031677.tif 000017
【図１６】
2015031677.tif 000018
【図１７】
2015031677.tif 000019
【図１８】
2015031677.tif 000020
【図１９】
2015031677.tif 000021